(57)【特許請求の範囲】
【請求項１】
支持部材の取付孔に軸受をはめ込み、その軸受の軸受孔に通して軸を支持する軸受装置において、
前記軸受を、前記取付孔にはめ込んで前記支持部材で締め付け保持する外筒部と、前記軸受孔を有する内筒部と、それらを連結するリブ部とで構成し、
前記リブ部を１つとしてなる、軸受装置。
【請求項２】
前記支持部材を構成する２つの構成部分を重ね合わせることにより前記取付孔を形成し、その取付孔にはめ込んだ前記軸受を前記２つの構成部分で挟んで保持する、請求項１に記載の軸受装置において、前記リブ部を、前記２つの構成部分を重ね合わせる方向と直交する向きに半径方向に設けてなる、軸受装置。
【請求項３】
前記内筒部の外周に、内側から外側に向けて漸次大きくなるテーパ面を形成してなる、請求項１に記載の軸受装置。
【請求項４】
現像装置で用いる請求項１に記載の軸受装置において、前記外筒部の内周に、内側から外側に向けて漸次大きくなるテーパ面を形成してなる、軸受装置。
【請求項５】
現像装置で用いる請求項１に記載の軸受装置において、前記外筒部の内側端に第１シール部材の外周縁外側を密着し、中心孔に前記軸を通すとともに、その軸に第２シール部材を圧入し、該第２シール部材のシール部を前記第１シール部材の内側に弾性的に押し当ててなる、軸受装置。
【請求項６】
支持部材を構成する２つの構成部分を重ね合わせることにより取付孔を形成し、その取付孔に軸受をはめ込んでそのはめ込んだ前記軸受を前記２つの構成部分で挟んで保持するとともに、その軸受の軸受孔に通して軸を支持する軸受装置において、
前記軸受を、前記取付孔にはめ込んで前記支持部材で締め付け保持する外筒部と、前記軸受孔を有する内筒部と、それらを連結するリブ部とで構成し、
前記支持部材に前記軸受の回動位置を定める位置決め部を設けるとともに、前記リブ部を、前記２つの構成部分を重ね合わせる方向と直交する向きに直径方向に設けてなる、軸受装置。
【発明の詳細な説明】
【０００１】
【産業上の利用分野】
この発明は、たとえば複写機・プリンタ・ファクシミリ・印刷機などで、回転軸を回転自在に支持し、または摺動軸を摺動自在に支持する軸受装置に関する。
【０００２】
【従来の技術】
従来、この種の軸受装置では、軸受に嵌合部を備え、その中心に軸受孔を設けてなる。
【０００３】
そして、そのような軸受を、その嵌合部を圧入して支持部材の取付孔に取り付けたり、２つの支持部材で嵌合部を挟んで取り付けたりしていた。
【０００４】
【発明が解決しようとする課題】
よって、精度のばらつきにより、最悪では、軸受の嵌合部の外径が支持部材の取付孔より大きくなりすぎることがある。
【０００５】
そのため、従来の軸受装置では、嵌合部を締め付ける強い力で軸受孔を変形して軸の動きを悪くし、軸受と軸間に生じる摩擦熱が増大して軸受の温度を上昇する問題があった。その結果、たとえば軸受孔の摩耗が早まり、軸受の寿命を短くしていた。
【０００６】
そこで、この発明の目的は、軸受と軸間に生じる摩擦熱により軸受の温度が上昇することを防止することにある。
【０００７】
【課題を解決するための手段】
そのため、この発明は、たとえば以下の図５および図６の実施例のように、
現像ケース３５のような支持部材の取付孔５０に軸受４９をはめ込み、その軸受４９の軸受孔４９ｅに通してローラ軸５３のような軸を支持する軸受装置において、
前記軸受４９を、前記取付孔５０にはめ込んで前記支持部材で締め付け保持する外筒部４９ａと、前記軸受孔４９ｅを有する内筒部４９ｂと、それらを連結するリブ部４９ｃとで構成し、前記リブ部４９ｃを１つとしてなる、ことを特徴とする。
【０００８】
請求項２に記載のものは、たとえば以下の図５および図６の実施例のように、現像ケース３５のような前記支持部材を構成する上ケース４４や下ケース４５のような２つの構成部分を重ね合わせることにより前記取付孔５０を形成し、その取付孔５０にはめ込んだ前記軸受４９を前記２つの構成部分で挟んで保持する、請求項１に記載の軸受装置おいて、前記リブ部４９ｃを、前記２つの構成部分を重ね合わせる方向と直交する向きに半径方向に設けてなる、ことを特徴とする。
【００１０】
請求項３に記載のものは、たとえば以下の図９の実施例のように、請求項１に記載の軸受装置において、前記内筒部４９ｂの外周に、内側から外側に向けて漸次大きくなるテーパ面４９ｇを形成してなる、ことを特徴とする。
【００１１】
請求項４に記載のものは、たとえば以下の図１０の実施例のように、現像装置で用いる請求項１に記載の軸受装置において、前記外筒部４９ａの内周に、内側から外側に向けて漸次大きくなるテーパ面４９ｈを形成してなる、ことを特徴とする。
【００１２】
請求項５に記載のものは、たとえば以下の図１１の実施例のように、現像装置で用いる請求項１に記載の軸受装置において、前記外筒部４９ａの内側端に第１シール部材５７の外周縁外側を密着し、中心孔５７ａに前記軸を通すとともに、その軸に第２シール部材５８を圧入し、該第２シール部材５８のシール部５８ａを第１シール部材５７の内側に弾性的に押し当ててなる、ことを特徴とする。
請求項６に記載のものは、たとえば以下の図７および図８の実施例のように、現像ケース３５のような支持部材を構成する上ケース４４や下ケース４５のような２つの構成部分を重ね合わせることにより取付孔５０を形成し、その取付孔５０に軸受４９をはめ込んでそのはめ込んだ前記軸受４９を前記２つの構成部分で挟んで保持するとともに、その軸受４９の軸受孔４９ｅに通してローラ軸５３のような軸を支持する軸受装置において、
前記軸受４９を、前記取付孔５０にはめ込んで前記支持部材で締め付け保持する外筒部４９ａと、前記軸受孔４９ｅを有する内筒部４９ｂと、それらを連結するリブ部４９ｃとで構成し、
前記支持部材に前記軸受４９の回動位置を定める位置決め部５０ａを設けるとともに、前記リブ部４９ｃを、前記２つの構成部分を重ね合わせる方向と直交する向きに直径方向に設けてなる、ことを特徴とする。
【００１３】
【作用】
そして、この発明では、支持部材の取付孔５０に軸受４９の外筒部４９ａをはめ込み、空隙５５間のリブ部４９ｃで支持される内筒部４９ｂの軸受孔４９ｅに軸を通して支持する。
【００１４】
また、１つのリブ部４９ｃで内筒部４９ｂを支持する。
【００１５】
請求項２に記載のものでは、２つの構成部分を重ね合わせて取付孔５０を形成し、その取付孔５０にはめ込んだ軸受４９を前記２つの構成部分で挟んで保持する。
【００１６】
請求項３に記載のものでは、たとえば軸受４９に注油するとき、空隙５５内を通して入れた油がテーパ面４９ｇに沿って内側に流れ込む。
【００１７】
請求項４に記載のものでは、たとえば軸受４９内に現像剤が入り込んだとき、テーパ面４９ｈを滑って外側へと移動する。
【００１８】
請求項５に記載のものでは、軸の回転駆動時、第１シール部材５７と第２シール部材５８間に発生する摩擦熱を空隙５５を通して外側へ発散する。
請求項６に記載のものでは、２つの構成部分を重ね合わせて取付孔５０を形成し、そのとき、取付孔５０に位置決め部５０ａで回動位置を定めて取り付けて軸受４９を前記２つの構成部分で挟んで保持する。
【００１９】
【実施例】
以下、図面を参照しつつ、この発明の実施例について説明する。
図４は、レーザ複写機の内部機構全体の概略構成を示し、この発明の一実施例である軸受装置を用いた現像装置を備えるものである。
【００２０】
図中符号１０は複写機本体、符号１１はその複写機本体１０の上部に備える原稿読取装置である。
【００２１】
しかして、このレーザ複写機を用いて複写を行うときは、原稿載置面１２に原稿１３をセットし、図示しないスタートボタンを押す。そして、原稿１３の画像情報を照射ランプ１４、ミラー１５、レンズ１６を用いて読取素子１７で読み取り、その読取内容を画像処理装置１８へと送る。
【００２２】
一方、感光体２０は、矢印Ａ方向に回転駆動し、その際帯電装置２１によって表面を一様に帯電し、前記画像処理装置１８からのデータに基づいて、光書込み装置２２からレ−ザ光Ｌを照射して感光体２０上に静電潜像を形成する。この潜像は、前記現像装置２３位置を通るとき現像剤によって可視像化する。そして、この可視像は、レジストローラ対２４でタイミングをとって送られてきた用紙Ｐに転写装置２５で転写する。転写後、用紙Ｐを搬送ベルト２６で定着装置２７へと搬送し、そこで熱と圧を加えて用紙Ｐ上の可視像を定着する。そして、定着後、定着装置２７から用紙Ｐを送り出し、排紙トレイ２８上に排出してスタックする。
【００２３】
可視像転写後の感光体２０は、クリ−ニング装置２９のブラシロ−ラ３０で残留現像剤を除去し、除電ランプ３１で残留電荷を除電して次の使用に備える。
【００２４】
ところで、上述した現像装置２３は、詳しくは図３に示すように構成する。図中符号３５は、現像ケースである。現像ケース３５は、箱形状をなし、感光体２０側に面して現像窓３６を設ける。その現像ケース３５内には、現像窓３６を通して上下一対の現像ローラ３７・３８をそれぞれ感光体２０と接触させて回転自在に設けるとともに、それら現像ローラ３７・３８の図中右側に現像剤搬送ローラ３９、撹拌ローラ４０、混合ローラ４１を順に配置してそれぞれ回転自在に設ける。
【００２５】
しかして、現像時、前記混合ローラ４１を時計回りに回転して現像剤を混合しながら撹拌ローラ４０へと送り、その撹拌ローラ４０を反時計回りに回転して現像剤を撹拌しながら現像剤搬送ローラ３９に補給し、その現像剤搬送ローラ３９を時計回りに回転して現像剤を現像ローラ３７・３８に付着する。そして、それら現像ローラ３７・３８上の現像剤を感光体２０表面に静電的に付着して現像を行う。
【００２６】
さて、上述した現像装置２３の現像ケース３５は、図示するように、前記現像ローラ３７や現像剤搬送ローラ３９や撹拌ローラ４０や混合ローラ４１の各ローラ軸の中心を通る図中Ｘ−Ｘ線で上下に分割し、上ケース４４と下ケース４５とで構成する。それら上ケース４４と下ケース４５は、図中手前側および後側の各側板に外向きに突出して図１に示すような凸部４４ｂ・４５ｂを複数設けてなる。
【００２７】
そして、それら上ケース４４および下ケース４５を図３中Ｘ−Ｘ線で上下に重ね合わせ、図１に示すように、凸部４４ｂ・４５ｂにねじ４７を通して固定することにより、その重ね合わせ面４８に沿って取付孔５０を複数形成してなる。
【００２８】
それら複数の取付孔５０………のうち、前記現像剤搬送ローラ３９のローラ軸５３を取り付ける１つの取付孔５０には、図１および図２に示すように、軸受４９を入れてなる。
【００２９】
その軸受４９は、プラスチック製で、外筒部４９ａと内筒部４９ｂとリブ部４９ｃとからなる。外筒部４９ａは、前記取付孔５０にはまり込む円筒状に形成するとともにその外端に鍔部４９ｄを有する。内筒部４９ｂは、外筒部４９ａと同心で形成し、中心に軸受孔４９ｅを設ける。リブ部４９ｃは、直交する直径方向に４つ設け、外筒部４９ａと内筒部４９ｂとを連結してなる。
【００３０】
そして、前記上ケース４４および下ケース４５を重ね合わせるとき、前記取付孔５０に入れた外筒部４９ａをそれら上ケース４４と下ケース４５で挟んで保持するとともに、取付孔５０の外側孔縁に鍔部４９ｄを係合してなる。
【００３１】
そのような軸受４９の前記軸受孔４９ｅには、前記現像剤搬送ローラ３９のローラ軸５３を通して回転自在に設けてなる。そのローラ軸５３は、軸受４９の外側に端部を突出し、その端部の円周溝にワッシャー５４を取り付け、それでローラ軸５３の軸方向内側への動きを規制してなる。
【００３２】
なお、図示省略するが、前記現像剤搬送ローラ３９の他端側のローラ軸も、上述した軸受４９と同様の軸受を介して現像ケース３５で支持する構成とする。
【００３３】
しかして、前記現像装置２３の駆動時、前記現像剤搬送ローラ３９のローラ軸５３と軸受４９間に発生する摩擦熱は、リブ部４９ｃ間の空隙５５を通して外部に発散する。よって、軸受４９の温度上昇を低減し、摩擦熱により軸受孔４９ｅの摩耗が早まることを防止することができる。
【００３４】
上述した図示例では、リブ部４９ｃは、直交する直径方向に４つ設けた。ところで、この発明では、たとえば図５および図６に示すように、リブ部４９ｃは、半径方向に１つ設ける構成とする。このようにすると、１つのリブ部４９ｃで内筒部４９ｂを支持するので、取付孔５０に軸受４９をいかなる回動位置で取り付けても、外筒部４９ａを締め付ける力で内筒部４９ｂが変形して軸受孔４９ｅを変形することをなくし、ローラ軸５３の回転負荷の発生を防止し、軸受４９の軸受機能を正常に維持することができる。
【００３５】
また、図７および図８に示す構成としてもよい。図中符号５０ａは、位置決め部である。その位置決め部５０ａは、取付孔５０の孔縁に切り欠いて形成する。一方、軸受４９は、直径方向にリブ部４９ｃを２つ設けるとともに、そのリブ部４９ｃに対応する鍔部４９ｄの内側に凸部４９ｆを設ける。そして、上ケース４４と下ケース４５を重ね合わせるとき、位置決め部５０ａに凸部４９ｆを入れ、それら上ケース４４と下ケース４５の重ね合わせる方向と直交する方向に沿ってリブ部４９ｃを設ける。
【００３６】
このようにすると、位置決め部５０ａによって上ケース４４および下ケース４５の重ね合わせる方向と直交する向きとリブ部４９ｃの向きが同じとなり、２つのリブ部４９ｃで内筒部４９ｂを支持するので、外筒部４９ａに働く締付力で内筒部４９ｂが変形して軸受孔４９ｅを変形することなく、内筒部４９ｂの支持強度を高めることができる。
【００３７】
さらに、上述した実施例では、外筒部４９ａの内径や内筒部４９ｂの外径を同一にした。しかし、図９に示すように、内筒部４９ｂの外周に、内側から外側に向けて漸次大きくなるテーパ面４９ｇを形成する構成としてもよい。
【００３８】
このようにすると、たとえば軸受４９に注油するとき、空隙５５内を通して入れた油がテーパ面４９ｇに沿って内側に流れ込むので、所望する部位に確実かつ容易に注油することができる。
【００３９】
また、図１０に示すように、外筒部４９ａの内周に、内側から外側に向けて漸次大きくなるテーパ面４９ｈを形成する構成としてもよい。
【００４０】
このようにすると、軸受４９内に入り込んだ現像剤がテーパ面４９ｈを滑って外側へ落ちるので、軸受４９内に滞留して熱で溶融固化することを防止することができる。
【００４１】
なお、図示省略するが、前記軸受４９内には、空隙５５からの現像剤の漏れを防ぐフィルター部材等を設けてもよい。また、空隙５５からの現像剤の漏れを防ぐべく、図１１に示す構成としてもよい。図中符号５７は、第１シール部材である。その第１シール部材５７は、中心孔５７ａを有する薄い円形板状で、その中心孔５７ａにローラ軸５３を緩く通し、外周縁外側を外筒部４９ａの内側端に密着して設ける。そのローラ軸５３上には、第２シール部材５８を圧入して取り付けてなる。その第２シール部材５８は、ゴム材でつくり、シール部５８ａの周縁を前記第１シール部材５７の内側に弾性的に押し当てる。
【００４２】
そして、第１シール部材５７および第２シール部材５８により軸受４９内と現像ケース３５内の連通を遮断して空隙５５からの現像剤漏れを防止する。
【００４３】
しかして、ローラ軸５３の回転駆動時、第１シール部材５７と第２シール部材５８間に発生する摩擦熱を空隙５５を通して外部へ発散するので、第１シール部材５７および第２シール部材５８の摩耗が摩擦熱によって早まることを低減することができる。
【００４４】
なお、上述した図示実施例では、現像剤搬送ローラ３９のローラ軸５３を軸受する例を示した。しかし、図示省略するが、前記現像ローラ３７や撹拌ローラ４０や混合ローラ４１の各ローラ軸等を軸受する場合にも同様に適用することができる。
【００４５】
また、上述した図示実施例では、ローラ軸５３のような回転軸を軸受する例を示した。しかし、図示省略するが、摺動軸を軸受する場合にも同様に適用することができる。
【００４６】
【発明の効果】
以上のことから、請求項１ないし５に記載の発明によれば、支持部材の取付孔に軸受の外筒部をはめ込み、空隙間のリブで支持される内筒部の軸受孔に軸を通して支持するので、軸受と軸間に発生する摩擦熱を空隙を通して発散させて軸受の温度上昇を低減し、摩擦熱により軸受孔の摩耗が早まることを防止することができる。
【００４７】
また、１つのリブ部で内筒部を支持するので、取付孔に外筒部をいかなる回動位置ではめ込んでも外筒部を締め付ける強い力で内筒部を変形して軸受孔が変形することをなくし、軸の回転負荷の発生を防止し、軸受機能を正常に維持することができる。
【００４８】
請求項２に記載のものによれば、２つの構成部分を重ね合わせる方向と直交する向きとリブ部の向きが同じとなり、１つのリブ部で内筒部を支持するので、取付孔に外筒部をいかなる回動位置ではめ込んでも外筒部を締め付ける強い力で内筒部を変形して軸受孔が変形することをなくし、軸の回転負荷の発生を防止し、軸受機能を正常に維持することができる。
【００４９】
請求項３に記載のものによれば、たとえば、軸受に注油するとき、空隙内を通して入れた油がテーパ面に沿って内側に流れ込むので、所望する部位に確実かつ容易に注油することができる。
【００５０】
請求項４に記載のものによれば、たとえば、軸受内に現像剤が入り込んだとき、テーパ面を滑って外側へ移動するので、従来のように軸受内に滞留した現像剤が摩擦熱により溶融固化することを防止することができる。
【００５１】
請求項５に記載のものによれば、軸の回転駆動時、第１シール部材と第２シール部材間に発生する摩擦熱を空隙を通して外側へ発散するので、それらシール部材の摩耗が摩擦熱によって早まることを低減することができる。
請求項６に記載の発明によれば、位置決め部によって２つの構成部分を重ね合わせる方向と直交する向きとリブ部の向きが同じとなり、２つのリブ部で内筒部を支持するので、外筒部に働く締付力で内筒部を変形して軸受孔を変形することなく、内筒部の支持強度を高めることができる。
【図面の簡単な説明】
【図１】  軸受装置をそのローラ軸の軸方向から見て示す側面図である。
【図２】図１中Ｃ−Ｃ線の断面図である。
【図３】その軸受装置を用いる現像装置の概略構成図である。
【図４】その現像装置を備えるレーザ複写機の内部機構全体の概略構成図である。
【図５】  この発明の実施例である軸受装置で、そのローラ軸の軸方向から見て示す側面図である。
【図６】図５中Ｄ−Ｄ線の断面図である。
【図７】  この発明の他の実施例である軸受装置をそのローラ軸の軸方向から見て示す側面図である。
【図８】図７中Ｅ−Ｅ線の断面図である。
【図９】この発明のさらに他の実施例である軸受装置をそのローラ軸に沿う断面図である。
【図１０】この発明のさらに他の実施例である軸受装置をそのローラ軸に沿う断面図である。
【図１１】この発明のさらに他の実施例である軸受装置をそのローラ軸に沿う断面図である。
【符号の説明】
３５  現像ケース（支持部材）
４４  上ケース
４５  下ケース
４９  軸受
４９ａ  外筒部
４９ｂ  内筒部
４９ｃ  リブ部
４９ｅ  軸受孔
４９ｇ  テーパ面
４９ｈ  テーパ面
５０  取付孔
５０ａ  位置決め部
【図１】
0003681075.tif 000002
【図２】
0003681075.tif 000003
【図３】
0003681075.tif 000004
【図４】
0003681075.tif 000005
【図５】
0003681075.tif 000006
【図６】
0003681075.tif 000007
【図７】
0003681075.tif 000008
【図８】
0003681075.tif 000009
【図９】
0003681075.tif 000010
【図１０】
0003681075.tif 000011
【図１１】
0003681075.tif 000012